(57)【要約】【課題】            テント等の仮設設備での暖房要求に対し、安全に使用できる燃焼器を実現するための感震器構造に関する。【解決手段】        基台１の上に載架した感震おもり２は下面に作動軸３を取り付けたおもり本体２ａと、おもり本体２ａの下部から下方に伸ばしたおもり本体２ａと同じ外径を持つ筒状の支持筒体２ｂとで構成し、感震おもり２の下部にはおもり本体２ａの下面が基台１と接触しない凹部２ｃを形成し、作動軸３はおもり本体２ａの下面から下方に伸ばし、基台１の小孔１ａを貫通して消火装置起動部材５と係合する。感震おもり２は支持筒体２ｂの下端によって基台１の上に載架して、支持筒体２ｂの下端を支点として転倒する構成であるから、燃焼器の傾きに対しては安定して感震おもり２が転倒することなく燃焼器が使用でき、一方、地震等の振動や燃焼器の転倒時には感震おもり２が容易に転倒し、自動消火装置６が作動して燃焼器を消火することができる。【選択図】          図１
2008209082.tif 000002
【特許請求の範囲】
【請求項１】
基台１の上に載架した感震おもり２と、感震おもり２から基台１の小孔１ａを貫通して下方に伸ばした作動軸３と、作動軸３の下部に取り付けた押上板４と、基台１と押上板４との間の作動軸３と係合する消火装置起動部材５と、消火装置起動部材５によって作動する自動消火装置６とを設け、
感震おもり２の転倒時に傾斜する作動軸３が押上板４を介して消火装置起動部材５を駆動して自動消火する燃焼器において、
前記感震おもり２は下面に作動軸３を取り付けたおもり本体２ａと、おもり本体２ａの下部から下方に伸ばしたおもり本体２ａと同じ外径を持つ筒状の支持筒体２ｂとで構成し、該支持筒体２ｂの内側にはおもり本体２ａの下面が基台１と接触しない凹部２ｃを形成し、
感震おもり２は支持筒体２ｂの下端によって基台１の上に載架し、支持筒体２ｂの下端を支点として転倒することを特徴とする燃焼器の感震器構造。
【請求項２】
前記基台１の小孔１ａの周辺には座押し部７を形成し、
該座押し部７の外径寸法は前記感震おもり２の支持筒体２ｂの内径寸法より小さく設定し、座押し部７の高さ寸法は支持筒体２ｂの高さ寸法より低く設定して、
座押し部７は感震おもり２の凹部２ｃの空間内に形成したことを特徴とする請求項１記載の燃焼器の感震器構造。
【請求項３】
前記座押し部７は感震おもり２の凹部２ｃの空間内に向けて形成し、
座押し部７と感震おもり２の支持筒体２ｂとの間隔を作動軸３と小孔１ａとの間隔よりも狭くしたことを特徴とする請求項２記載の燃焼器の感震器構造。
【発明の詳細な説明】
【技術分野】
【０００１】
この発明は、災害発生時などに設置されるテント等の仮設設備での暖房に適する燃焼器の感震器の装置に関するものである。
【背景技術】
【０００２】
市販の石油ストーブ等の燃焼器に備えた感震器は基台の上に載せた感震おもりから下方に向かって作動軸を伸ばし、作動軸の下部に設けた押上板と基台との間で作動軸と消火装置起動部材を係合し、地震などの振動や燃焼器の転倒によって感震おもりが倒れたときに作動軸が消火装置起動部材を駆動し、消火装置起動部材によって自動消火装置が作動して燃焼器を消火するものである。
【０００３】
従来の感震器は特許文献１に示すように感震おもりの下部に上部よりも直径を細くする縮径部を設けて、この縮径部の下面によって基台の上に載架した構造が一般的であり、感震おもり本体の内側に位置する縮径部が支点となって転倒するから、燃焼器の振動や傾きに対して感震おもりが簡単に転倒できるようになっている（特許文献１参照）。
【特許文献１】特開平９−２１０３１０号公報
【発明の開示】
【発明が解決しようとする課題】
【０００４】
ところで従来では、災害発生時などにテント等の仮設設備を設置し、このような仮設設備で暖房が必要となった場合にも、上記のような市販の燃焼器が一般的に使用されているが、テント等の仮設設備では燃焼器が傾いた状態や不安定な状態で使用しなければならないときがあり、市販の燃焼器では感震器の感震おもりが簡単に倒れてしまうため、市販の燃焼器をそのままテント等の仮設設備に持ち込んでも使用できないことがあった。
【０００５】
このような仮設設備での暖房要求に対して、感震器の感震おもりを固定するなどして、感震器が作動しない状態にして使用してしまうケースが発生していることがあった。この使用方法であれば燃焼器が傾いた状態や不安定な状態でも使用できるが、燃焼器を転倒させても消火できなくなり、火災事故を発生させるなど安全上の問題があるため、本来このような使用方法は禁止すべきであるが、冬季におけるテント等の仮設設備での暖房は不可欠であるから、結局安全性は使用者に任されて、注意しながら使用しているのが現実であった。
【課題を解決するための手段】
【０００６】
この発明は上記の課題を解決するもので、基台１の上に載架した感震おもり２と、感震おもり２から基台１の小孔１ａを貫通して下方に伸ばした作動軸３と、作動軸３の下部に取り付けた押上板４と、基台１と押上板４との間の作動軸３と係合する消火装置起動部材５と、消火装置起動部材５によって作動する自動消火装置６とを設け、感震おもり２の転倒時に傾斜する作動軸３が押上板４を介して消火装置起動部材５を駆動して自動消火する燃焼器において、前記感震おもり２は下面に作動軸３を取り付けたおもり本体２ａと、おもり本体２ａの下部から下方に伸ばしたおもり本体２ａと同じ外径を持つ筒状の支持筒体２ｂとで構成し、該支持筒体２ｂの内側にはおもり本体２ａの下面が基台１と接触しない凹部２ｃを形成し、感震おもり２は支持筒体２ｂの下端によって基台１の上に載架し、支持筒体２ｂの下端を支点として転倒することを特徴とするものである。
【０００７】
また、前記基台１の小孔１ａの周辺には座押し部７を形成し、該座押し部７の外径寸法は前記感震おもり２の支持筒体２ｂの内径寸法より小さく設定し、座押し部７の高さ寸法は支持筒体２ｂの高さ寸法より低く設定して、座押し部７は感震おもり２の凹部２ｃの空間内に形成したものであり、座押し部７によって基台１の小孔１ａ周辺の強度が向上して基台１の変形を防ぐことができ、感震おもり２と座押し部７とが接触しないから、感震おもり２は容易に転倒できる。
【０００８】
また、前記座押し部７は感震おもり２の凹部２ｃの空間内に向けて形成し、座押し部７と感震おもり２の支持筒体２ｂとの間隔を作動軸３と小孔１ａとの間隔よりも狭くしたから、感震おもり２が基台１の上を横に滑ったときは感震おもり２の支持筒体２ｂが座押し部７の側部に接触して移動を止めるから、作動軸３と小孔１ａが接触することはなくなり、感震おもり２が容易に倒れることができる。
【発明の効果】
【０００９】
この発明では、感震おもり２のおもり本体２ａの下部に上部と同じ外径を持つ筒状の支持筒体２ｂを設け、感震おもり２はこの筒状の支持筒体２ｂの下端によって基台１の上に載架しており、感震おもり２は支持筒体２ｂが支点となって転倒する構成となっている。感震おもり２は転倒時に支点となる支持筒体２ｂが上部と同じ外径になっているから、燃焼器を傾斜した状態や不安定な状態で使用しても感震おもり２は安定して簡単に倒れることはなく、燃焼器を使用することができるものとなった。
また、燃焼器の使用中に強い振動を与えたり、燃焼器を誤って転倒させたときには、感震おもり２が転倒して消火装置起動部材５を駆動するから、燃焼器の自動消火装置６が作動して消火するものであり、この感震器構造によって災害時のテント等の仮設設備での安全に使用できる燃焼器が実現できるものとなった。
【００１０】
また、感震おもり２の転倒時に感震おもり２と基台１との接触面で摩擦が発生し、この摩擦が感震おもり２が転倒するときの抵抗となるが、感震おもり２は下部に形成された凹部２ｃによっておもり本体２ａの下面と基台１とが非接触の状態になっており、支持筒体２ｂの下端だけが基台１との接触面となっているから、接触面で発生する摩擦による抵抗を小さくでき、感震おもり２は容易に転倒することができる。
【００１１】
また、感震おもり２と基台１との間で発生する摩擦を減らすため、感震おもり２の下端の基台１との接触面をきれいな平面に仕上げる必要があるが、この発明の感震おもり２は支持筒体２ｂの下端だけが基台１との接触面となっているから、感震おもり２の下面全体を加工する必要がなくなって加工が簡単になった。
【００１２】
また、基台１の小孔１ａの周辺には座押し部７を形成して、この座押し部７によって基台１の小孔１ａ周辺の強度を向上して基台１の変形を防ぐものである。そして、この座押し部７は感震おもり２の支持筒体２ｂの内側に凹部２ｃを設けたことによって構成できたものであり、座押し部７の外径を支持筒体２ｂの内径より小さく、座押し部７の高さを支持筒体２ｂの高さより低く設定することで、座押し部７は感震おもり２の凹部２ｃの空間内に設けることができる。このため、感震おもり２は支持筒体２ｂによって座押し部７の外側の基台１の平面の上に載架でき、感震おもり２のおもり本体２ａの下面と座押し部７とが接触しないから、感震おもり２は支持筒体２ｂを支点にして容易に倒れることができ、感震おもり２の転倒を妨げることなく座押し部７によって基台１の強度を向上できた。
【００１３】
また、基台１の小孔１ａ周辺に座押し部７を形成したときにおいて、この座押し部７を感震おもり２の凹部２ｃの空間内に向けて形成して、座押し部７と感震おもり２の支持筒体２ｂとの間隔を作動軸３と基台１の小孔１ａとの間隔よりも狭くなるように形成したから、感震おもり２が基台１の上を横に滑ったときは感震おもり２の支持筒体２ｂの内縁が座押し部７の側部に接触して移動が止められて、作動軸３が小孔１ａと接触することがないから、感震おもり２が倒れるときに作動軸３が小孔１ａの内縁に引っ掛かる不具合が解消でき、感震おもり２が容易に倒れることができ、感震器の作動が安定するものとなった。
また、感震おもり２が倒れて自動消火装置６の作動後、感震おもり２が正立状態に戻ろうとするときにも支持筒体２ｂの内縁が基台１の座押し部７の側部に接触して横方向への移動を防ぐから、感震おもり２が正立状態に復帰しやすくなっており、感震おもり２の横方向への移動を最小限に抑えることができるから、基台１の摩耗を防ぐことができる。
【発明を実施するための最良の形態】
【００１４】
図に示す実施例によってこの発明を説明すると、１は感震器の基台、２は基台１の上に載架した感震おもり、１ａは感震おもり２を載架した基台１に設けた小孔、３は感震おもり２から小孔１ａを貫通して下方に伸ばした作動軸、４は作動軸３の下端に取り付けた押上板であり、感震おもり２が倒れると作動軸３が傾斜して押上板４が上動する。
【００１５】
５は押上板４と基台１との間で作動軸３に係合する消火装置起動部材、５ａは基台１に設けた消火装置起動部材５の支軸であり、消火装置起動部材５は感震おもり２の転倒時に上動する押上板４で押し上げられて支軸５ａを中心に回動する。
【００１６】
６は燃焼器の自動消火装置であり、自動消火装置６はセット位置で消火装置起動部材５と係合しており、感震おもり２の転倒によって消火装置起動部材５が回動すると、消火装置起動部材５と自動消火装置６の係合が外れて自動消火装置６が作動して燃焼器を消火する。
【００１７】
図に示す燃焼器は芯上下式石油燃焼器の実施例であって、８は油タンク、９は油タンク８から立設した芯収容筒、１０は芯収容筒９の上部に載置した燃焼筒であり、芯収容筒９内には上下動自在に芯が取り付けられている。
【００１８】
１１は油タンク８内に挿通した芯上下軸であり、芯上下軸１１を回動すると芯収容筒９内に取り付けた芯が上下動する。１２は芯上下軸１１を中心に回動自在に取り付けた回転板、１１ａは芯上下軸１１に設けた係止ピン、１２ａは回転板１２に設けた係止片であり、芯上下軸１１を芯上げ方向に回転すると係止ピン１１ａが回転板１２の係止片１２ａを押して芯上下軸１１と回転板１２とが一緒に回転する。
【００１９】
１２ｂは回転板１２に設けた消火装置起動部材５との係合部であり、油タンク８と回転板１２の間の芯上下軸１１の外周には図示しない消火バネが取り付けてあり、芯上下軸１１を芯上げ方向に回転すると消火バネを巻き上げ、燃焼位置で回転板１２の係合部１２ｂが消火装置起動部材５と係合すると消火バネに蓄力されて自動消火装置６のセット位置となる。また、芯上下軸１１は回転板１２が消火装置起動部材５に係合した状態のまま係止ピン１１ａが係止片１２ａから離れて独立して回転可能になっており、芯上下軸１１を操作して燃焼量調節や消火操作を行うことができる。
【００２０】
一方、感震おもり２が転倒したときは、作動軸３の下端に取り付けた押上板４が上動して消火装置起動部材５を持ち上げるので、消火装置起動部材５は支軸５ａを中心に回動して回転板１２の係合部１２ｂから係合が外れ、回転板１２は消火バネの力によって芯下げ方向に回転する。芯下げ方向に回転する回転板１２は係止片１２ａが芯上下軸１１の係止ピン１１ａを押して芯上下軸１１が芯下げ方向に駆動するから、芯上下軸１１が消火位置まで回転して燃焼器が消火する。
【００２１】
この発明は、感震器の構造を工夫することによって、燃焼器の傾きに対しては感震おもり２が倒れにくい構造となって不整地での燃焼器の使用を可能にし、また、燃焼器の使用時に地震等の振動や燃焼器を誤って転倒させたときには感震おもり２が確実に倒れることができるようにして、災害発生時などに設置されるテント等の仮設設備でも燃焼器を使用して安全に暖房を行うことができるようにするためのものである。
【００２２】
２ａは下面に作動軸３を取り付けた感震おもり２を構成するおもり本体、２ｂはおもり本体２ａの下部から下方に伸ばした筒状の支持筒体であり、上部のおもり本体２ａと下部の支持筒体２ｂとが同じ外径となるように構成している。２ｃは感震おもり２の下部の支持筒体２ｂの内側に形成される凹部であり、感震おもり２は支持筒体２ｂの下端によって基台１の上に載架している。
【００２３】
このため、感震おもり２は支持筒体２ｂの下端が支点となって転倒する構成となっており、感震おもり２の転倒時に支点となる下部の支持筒体２ｂを上部のおもり本体２ａの外径と同じ大きさに設定したから、燃焼器を傾斜したときに感震おもり２が倒れるまでの傾斜角度が大きくなり、燃焼器が少し傾いた状態で設置されていても感震おもり２は安定してすぐに倒れることがなくなり、自動消火装置６がセットが可能となるから、市販の石油ストーブ等では使用できなかった不整地での使用が可能となった。
【００２４】
また、燃焼器を誤って転倒させるなどして燃焼器が大きく傾いたときは、感震おもり２が支持筒体２ｂを支点に倒れて自動消火装置６が作動して燃焼器が消火するので、緊急時の安全性を確保できる。
感震おもり２が倒れるときは感震おもり２と基台１との接触面の間で摩擦が発生し、この摩擦が感震おもり２が倒れるときの抵抗となるが、感震おもり２は支持筒体２ｂの下端によって基台１の上に載架することで感震おもり２と基台１との接触面積を少なくできたから、感震おもり２が倒れるときの摩擦による抵抗を小さくでき、感震おもり２は容易に倒れることができる。
【００２５】
また、感震おもり２の下端の基台１との接触面がざらざらしていたり細かい凹凸などがあると摩擦による抵抗を受けやすくなり、感震おもり２の安定性も悪くなるから、摩擦による抵抗を減らすために、感震おもり２の下端の基台１との接触面をきれいな平面に仕上げる必要がある。この発明では感震おもり２は基台１との接触面である支持筒体２ｂの下端面をきれいな平面に仕上げればよく、感震おもり２の下面全体をきれいに仕上げる必要がないから加工が簡単になった。
【００２６】
一方、感震おもり２が載架する基台１の小孔１ａの周辺も平面にする必要があるが、基台１に設けた小孔１ａによって小孔１ａの周辺の強度が低下しやすく、加工時に基台１が変形して平面を構成できないことがある。
この発明の実施例において、７は基台１の小孔１ａの周辺に形成した座押し部であり、座押し部７の外径寸法は感震おもり２の支持筒体２ｂの内径寸法よりも小さく設定し、座押し部７の高さ寸法は支持筒体２ｂの高さ寸法より低く設定しており、感震おもり２は支持筒体２ｂによって座押し部７より外側の基台１の平面の上に載架しており、おもり本体２ａの下面と座押し部７とが接触しない構成となっている。
このため、感震おもり２が倒れるときは、支持筒体２ｂを支点にして倒れることができ、感震おもり２は支持筒体２ｂだけが基台１と接触して座押し部７と接触することはないから、基台１の小孔１ａの周辺に座押し部７を設けても、この座押し部７が感震おもり２の転倒時の妨げとなることはなく、感震おもり２は容易に倒れることができるようになっている。
このように感震おもり２の下部に凹部２ｃを設けたことによって、基台１の小孔１ａの周辺に座押し部７を設けることができ、この座押し部７によって基台１の小孔１ａ周辺の強度を向上することができるから、加工時における基台１の変形を防ぐことができ、基台１をきれいな平面に仕上げることができるものとなった。
【００２７】
また、感震おもり２が倒れるために小孔１ａは作動軸３の直径よりも大きく設けてあるが、小孔１ａの内縁に作動軸３が接触しているときに、感震おもり２が作動軸３と小孔１ａの接触面と反対方向に倒れようとしたときは、作動軸３が小孔１ａの内縁に引っ掛かって抵抗を受け、倒れにくくなることがある。この場合は感震おもり２が横にすべって作動軸３が小孔１ａの内縁から離れてから倒れるため、感震おもり２の支持筒体２ｂと基台１との間で摩擦が発生して抵抗を受け、燃焼器の転倒や振動に対して感震おもり２が倒れるときの値にばらつきが生じ、感震おもり２と基台１との接触面の摩耗の原因にもなる。
【００２８】
この発明では、座押し部７を感震おもり２の凹部２ｃ空間内に向けて形成したものであり、この座押し部７は感震おもり２のおもり本体２ａの下面と接触しない高さに設定すると共に、座押し部７と感震おもり２の支持筒体２ｂの内縁との間の間隔を、作動軸３と小孔１ａの内縁との間の間隔よりも狭くなるように設けている。
この構成では、感震おもり２が基台１の上を横にすべったときに支持筒体２ｂの内側が座押し部７の側部に接触して移動が止められ、作動軸３と基台１の小孔１ａの内縁とが接触しないようにすることができる。このため、感震おもり２が倒れるときに作動軸３が小孔１ａに引っ掛かって抵抗を受けることがなくなり、感震おもり２は簡単に倒れることができ、自動消火装置６の作動の安定性が向上できるものとなった。
【００２９】
また、感震おもり２が倒れて自動消火装置６が作動した後、感震おもり２が正立位置に復帰するときにも、支点となる支持筒体２ｂが座押し部７の側部に接触することで感震おもり２が大きく横にすべることがなくなるから、感震おもり２の横方向への移動はほとんどなくなり、基台１と感震おもり２の支持筒体２ｂとの接触面の摩耗を抑えることもできるものである。
【図面の簡単な説明】
【００３０】
【図１】この発明の実施例を示す感震器の要部断面図である。
【図２】この発明の実施例を示す感震おもりの転倒時の状態を示す要部断面図である。
【図３】この発明の感震器を備えた燃焼器の断面図である。
【符号の説明】
【００３１】
１    基台
１ａ  小孔
２    感震おもり
２ａ  おもり本体
２ｂ  支持筒体
２ｃ  凹部
３    作動軸
４    押上板
５    消火装置起動部材
６    自動消火装置
７    座押し部
【図１】
2008209082.tif 000003
【図２】
2008209082.tif 000004
【図３】
2008209082.tif 000005